(57)【要約】  【課題】パネル要素を構造体に取り付ける際に、構造体に取り付けたパネル要素がずれる不具合の発生を防ぐ。  【解決手段】起立して複数設けられる支柱２及び前記支柱２に設けられる取付爪４２を少なくとも有する間仕切構造体Ｍと、前記支柱の取付爪４２と係合可能な係合爪６３１を有する取付具６を介して前記間仕切構造体Ｍの少なくとも１面に支持されるパネル要素たるガラス板５とを有する間仕切において、前記取付具６が、ガラス板５の側端縁部に取り付けられる縦枠部材６２と、前記縦枠部材６２と前記支柱２との間に介在し前記係合爪６３１を有する係合爪部材６３とを有し、前記係合爪部材６３の少なくとも一部を前記縦枠部材６２の透明板を向く側の面である当接面６３２ａに当接させて前記縦枠部材６２に取り付ける構成を採用する。  【選択図】図２
2006077543.tif 000002
【特許請求の範囲】
【請求項１】
起立して複数設けられる支柱及び前記支柱に設けられる取付爪を少なくとも有する間仕切構造体と、前記支柱の取付爪と係合可能な係合爪を有する取付具を介して前記間仕切構造体の少なくとも１面に支持される板状をなすパネル要素とを有するものであって、前記取付具が、前記パネル要素の側端縁部に取り付けられる縦枠部材と、前記縦枠部材と前記支柱との間に介在し前記係合爪を有する係合爪部材とを有し、前記係合爪部材の少なくとも一部を前記縦枠部材の前記パネル要素を向く側の面に当接させて前記縦枠部材に取り付けていることを特徴とする間仕切。
【請求項２】
前記縦枠部材が、前記パネル要素の縁部に当接するパネル要素受部と、前記パネル要素の内面側から内側に延びる腕部と、前記腕部から前記パネル要素受部に平行に延伸し前記パネル要素受部に対向する当接面を有する当接部とを有するとともに、
前記係合爪部材が、前記縦枠部材の前記当接面に当接する被当接部と、前記被当接部から延伸して設けている係合爪とを有することを特徴とする請求項１記載の間仕切。
【請求項３】
前記縦枠部材の当接部と、前記係合爪部材の被当接部とをねじ部材を利用して接続していることを特徴とする請求項２記載の間仕切。
【請求項４】
前記縦枠部材の腕部に、前記係合爪部材の被当接部を挿入可能な凹部を設けていることを特徴とする請求項２又は３記載の間仕切。
【請求項５】
取付具を前記パネル要素に取り付けた状態で、前記パネル要素を間仕切構造体にけんどん方式により取付可能にしていることを特徴とする請求項１、２、３又は４記載の間仕切。
【請求項６】
前記縦枠部材が、前記パネル要素の側面と内面のみに当接しているとともにその全体が前記パネル要素の外面よりも内方に位置することを特徴とする請求項１、２、３、４又は５記載の間仕切。
【請求項７】
起立して複数設けられる支柱及び前記支柱に設けられる取付爪を少なくとも有する構造体に、前記支柱の取付爪と係合可能な係合爪を有する取付具を介して前記構造体の少なくとも１面に板状をなすパネル要素を支持させるものであって、前記取付具が、前記パネル要素の側端縁部に取り付けられる縦枠部材と、前記縦枠部材と前記支柱との間に介在し前記係合爪を有する係合爪部材とを有し、前記係合爪部材の少なくとも一部を前記縦枠部材の前記パネル要素を向く側の面に当接させて前記縦枠部材に取り付けていることを特徴とするパネル要素の取付構造。
【発明の詳細な説明】
【技術分野】
【０００１】
本発明は、支柱を有する間仕切構造体の少なくとも１面にパネル要素を取付可能な間仕切、及び支柱を有する間仕切構造体の少なくとも１面に透明板を取り付ける際のパネル要素の取付構造に関する。
【背景技術】
【０００２】
従来より、建築床面から天井までの高さにわたって空間を区画する間仕切が存在する。そして、このような間仕切において、遮音性を確保しつつ採光を行うべく、パネル要素として２枚の透明板を互いに重合させて設置することが考えられてきている。このような間仕切として、例えば、２枚のガラス板をそれぞれ縦桟、上桟、及び下桟からなる枠体に嵌め込み、支柱の前後両面に前記ガラス板を枠体ごと取り付けるようにしている。（例えば、特許文献１を参照。）
【特許文献１】実登２６０５３５２号公報
【発明の開示】
【発明が解決しようとする課題】
【０００３】
しかして、特許文献１記載の構成では、枠体に係止片を固定し、この係止片を支柱に溶接して取り付けた爪に係合させるようにしているが、前記係止片は枠体を挟んでガラス板と反対側に位置している。
【０００４】
このような構成では、ガラス板に支柱から離間する方向へ強い作用が加えられ、係止片と枠体とが離間してしまった場合に、ガラス板を組み込んだ枠体がずれてしまう不具合が発生し得る。
【０００５】
このような不具合は、パネル要素としてガラス板を用いたものに限らず、板状のパネル要素を支柱に取り付ける場合には同様に起こりうる。
【０００６】
本発明は、上記問題を解決すべく、すなわちパネル要素を組み込んだ枠体がずれてしまう不具合の発生を防ぐべく構成するものである。
【課題を解決するための手段】
【０００７】
すなわち本発明に係る間仕切は、起立して複数設けられる支柱及び前記支柱に設けられる取付爪を少なくとも有する間仕切構造体と、前記支柱の取付爪と係合可能な係合爪を有する取付具を介して前記間仕切構造体の少なくとも１面に支持される板状をなすパネル要素とを有するものであって、前記取付具が、前記パネル要素の側端縁部に取り付けられる縦枠部材と、前記縦枠部材と前記支柱との間に介在し前記係合爪を有する係合爪部材とを有し、前記係合爪部材の少なくとも一部を前記縦枠部材の前記パネル要素を向く側の面に当接させて前記縦枠部材に取り付けていることを特徴とする。
【０００８】
このようなものであれば、前記パネル要素に間仕切構造体から離間する方向へ作用が加えられた場合であっても、前記係合爪部材が支柱の取付爪に係合した状態でその少なくとも一部を前記縦枠部材の前記パネル要素を向く側の面に当接させて取り付けているので、前記縦枠部材が間仕切構造体から離間する方向へ移動することが前記取付爪部材に当接することによって規制される。従って、このように構成することにより取付具を介して間仕切構造体に取り付けたパネル要素がずれてしまう不具合の発生を防ぐことができる。
【０００９】
このような間仕切を簡単な構成で実現するための具体的な構成の一例として、前記縦枠部材が、前記パネル要素の縁部に当接するパネル要素受部と、前記パネル要素の内面側から内側に延びる腕部と、前記腕部から前記パネル要素受部に平行に延伸し前記パネル要素受部に対向する当接面を有する当接部とを有するとともに、前記係合爪部材が、前記縦枠部材の前記当接面に当接する被当接部と、前記被当接部から延伸して設けている係合爪とを有するものが挙げられる。
【００１０】
特に、前記縦枠部材を前記係合爪部材に確実に固定するための構成として、前記縦枠部材の当接部と、前記係合爪部材の被当接部とをねじ部材を利用して接続しているものが挙げられる。
【００１１】
また、前記縦枠部材を前記係合爪部材に確実に固定するとともに、前記係合爪部材の位置決めを行うことができるようにするための構成として、前記縦枠部材の腕部に、前記係合爪部材の被当接部を挿入可能な凹部を設けているものが挙げられる。
【００１２】
さらに、パネル要素を間仕切構造体に容易に取付可能な構成として、取付具を前記パネル要素に取り付けた状態で、前記パネル要素を間仕切構造体にけんどん方式により取付可能にしているものが挙げられる。
【００１３】
そして、前記パネル要素を幅方向に隣接させて複数取り付ける際に、前記パネル要素間に形成される目地を目立たなくするための態様として、前記縦枠部材が、前記パネル要素の側面と内面のみに当接しているとともにその全体が前記パネル要素の外面よりも内方に位置するものが挙げられる。このようなものであれば、前記縦枠部材が前記パネル要素の外面を被覆しないようにできるからである。
【００１４】
加えて、起立して複数設けられる支柱及び前記支柱に設けられる取付爪を少なくとも有する構造体に、前記支柱の取付爪と係合可能な係合爪を有する取付具を介して前記構造体の少なくとも１面に板状をなすパネル要素を支持させるものであって、前記取付具が、前記パネル要素の側端縁部に取り付けられる縦枠部材と、前記縦枠部材と前記支柱との間に介在し前記係合爪を有する係合爪部材とを有し、前記係合爪部材の少なくとも一部を前記縦枠部材の前記パネル要素を向く側の面に当接させて前記縦枠部材に取り付けていることを特徴とする透明板の取付構造であれば、間仕切に限らず、このようなパネル要素の取付構造全般において上述したうちの主要な効果、すなわち取付具を介して間仕切構造体に取り付けたパネル要素がずれてしまう不具合の発生を防ぐことができる効果が得られる。
【００１５】
なお、本発明において、「板状をなすパネル要素」とは、板状をなしてこのパネル要素が設けられる空間を区画する機能を有するもの全般を含む。
【発明の効果】
【００１６】
本発明に係る間仕切は、前記縦枠部材に取り付けている前記係合爪部材が支柱の取付爪に係合した状態で前記縦枠部材のパネル要素を向く側の面に当接しているので、前記パネル要素に間仕切構造体から離間する方向へ作用が加えられた際に、前記縦枠部材が前記取付爪部材に当接することによって、前記縦枠部材及び透明板が間仕切構造体から離間する方向へ移動することが規制される。すなわち、このように構成することにより取付具を介して間仕切構造体に取り付けたパネル要素がずれてしまう不具合の発生を防ぐことができる。
【発明を実施するための最良の形態】
【００１７】
以下、本発明の一実施形態を、図面を参照して説明する。
【００１８】
本実施形態に係る間仕切Ａは、全体斜視図を図１、分解斜視図を図２、前記図１におけるａ−ａ断面の高さ方向中央部を示す図を図３、前記図１におけるａ−ａ断面の上端部を示す図を図４、前記図１におけるａ−ａ断面の下端部を示す図を図５、前記図１におけるｂ−ｂ断面の要部を示す図を図６にそれぞれ示すように、この間仕切Ａを配置すべき屋内空間（例えばオフィス空間など）の天井Ｃに取り付ける天井レール１と、この天井レール１に沿って設けられる複数の支柱２と、これら複数の支柱２に対して横架させた複数の横フレーム３と、取付爪４２を有し前記支柱２に取り付けられる取付爪部材４とを備える間仕切構造体Ｍ、及び前記間仕切構造体Ｍの前面及び後面に取付具６を介してそれぞれ支持されるパネル要素たるガラス板５を有する。
【００１９】
以下、具体的に各部について説明すると、天井レール１は、前記図１及び図４に示すように、平面視略矩形状の頂壁１１とこの頂壁１１の両側縁から略垂下する垂下壁１２とを備えた長手方向に沿って各部等断面の下向きコ字型形状をなすものであって、アルミ押出材等を所定の長さ寸法に切断して形成してなる。なお、本実施形態では、頂壁１１に設けた貫通孔（図示せず）とネジとを利用して、この天井レール１を天井Ｃに取り付けるようにしているが、天井Ｃに取り付ける方法はこれに限られるものではない。
【００２０】
支柱２は、床Ｆ−天井Ｃ間の寸法よりも若干短い寸法を有するとともに、前記図６に示すように、長手方向に沿って各部等断面形状、本実施形態では一側方に開口するチャネル状をなすものであって、アルミ押出材等を所定の長さ寸法に切断して形成してなる。また、本実施形態では、この支柱２は、前記図５に示すような床Ｆに設けた巾木７から起立して設けている。なお、この支柱２は、巾木７を用いずに床Ｆから直接起立させて設けてもよい。
【００２１】
前記取付爪部材４は、ガラス板５を間仕切構造体Ｍに取り付けた状態で該ガラス板５と支柱２との間に介在し、図７の（ａ）に平面図、同図の（ｂ）に正面図、同図の（ｃ）に側面図をそれぞれ示すように、板状をなす板部４１と、この板部４１から側上方に延伸して設けられる取付爪４２とを有し、支柱２の側面に、板部４１をねじ止めして設けられる。なお、この取付爪部材４は、本実施形態では支柱２の長手方向に沿って所定ピッチで複数並べて形成されるようにしているが、その配置個数や配置方法等は任意に決定してよい。
【００２２】
横フレーム３は、前記図２及び図３に示すように、長手方向に沿って各部等断面形状をなすものであって、アルミ押出材等を所定の長さ寸法に切断して形成してなる部材で、横フレーム取付部材３０を介して前記支柱２に取り付けられる。また、この横フレーム３は、平板状をなす横フレーム本体３１と、この横フレーム本体３１の幅方向中央部の下面に設けられ前記横フレーム取付部材３０を収納する取付部材受部３２と、前記横フレーム本体３１の前記取付部材受部３２から前縁側及び後縁側にそれぞれ離間した位置から上方に延伸して設けられ前記取付具６の後述する横枠部材６１の足部６１３に当接する上足部受部３３１と、前記横フレーム本体３１の前記取付部材受部３２から前縁側及び後縁側にそれぞれ離間した位置に下方に延伸して設けられ前記取付具６の後述する横枠部材６１の足部６１３に当接する下足部受部３３２と、前端縁及び後端縁に設けられて前記上足部受部３３１及び下足部受部３３２を隠蔽するとともに前記取付具６の横枠部材６１に当接ないし対向するカバー部３４とを有する。
【００２３】
また、本実施形態では、支柱２の上端部間に上フレーム８を横架させて設けている。前記上フレーム８は、上方に開口するチャネル状の部材であり、後述する横枠部材６１の足部６１３に対応する部分には下方に開口する溝状の足部受部８ａを形成している。
【００２４】
さらに、前記巾木７には、後述する横枠部材６１の足部６１３を収納する溝状の足部受部７ａを形成している。
【００２５】
前記ガラス板５は、上述したように取付具６を介して支柱２に取り付けられる。また、本実施形態では、前記図６に示すように、ガラス板５の両側縁部が前記支柱２と正面視及び背面視重合するようにしている。
【００２６】
前記取付具６は、前記ガラス板６の上端縁部及び下端縁部にそれぞれ取り付けられる１対の横枠部材６１と、前記ガラス板５の両側端縁部に取り付けられる１対の縦枠部材６２と、前記縦枠部材６２に取り付けられ、前記取付爪４２に係合可能な係合爪６３１を有する係合爪部材６３とを備えている。
【００２７】
前記横枠部材６１は、アルミ押出し成形により形成されるもので、前記ガラス板５の上端縁又は下端縁を収納するチャネル状のガラス板収納部６１１と、このガラス板収納部６１１から内側に延伸する腕部６１２と、前記腕部６１２から前記ガラス板５の上端縁又は下端縁に向かう方向に延伸し、前記横フレーム３の足部受部３３のガラス板５と反対側を向く面に当接する足部６１３とを有する。また、同一の支柱２の前面側及び後面側にそれぞれ位置するガラス板５に取り付けられる横枠部材６１の腕部６２３は、両ガラス板５の中間の位置で突き合わされるようにしている。そして、ガラス板５を、この横枠部材６１に両面テープを介して接着するようにしている。
【００２８】
なお、前記図４及び前記図５に示すように、上端に位置するガラス板５の上縁部及び下端に位置するガラス板５の下縁部には、上述した横枠部材６１に代えて、端部用横枠部材６４を取り付けるようにしている。この端部用横枠部材６４も、アルミ押出し成形により形成されるもので、前記ガラス板５の上端縁又は下端縁を収納するチャネル状のガラス板収納部６４１と、このガラス板収納部６４１から内側に延伸する腕部６４２と、前記腕部６４２から前記ガラス板５の上端縁又は下端縁に向かう方向に延伸する足部６４３とを有する。上端に位置するガラス板５の上縁部では、前記足部６４３は、支柱２の上端部間に横架して設けた上フレーム材８に形成した足部受溝８１内に収納され、ガラス板５と反対側を向く足部当て面８１ａに当接させるようにしている。一方、下端に位置するガラス板５の下縁部では、前記足部６４３を、前記巾木７に設けた足部受け７１に収納するようにしている。
【００２９】
また、前記図３、図４、及び図５に示すように、取付具６を介してガラス板５を支柱２に取り付けた状態において、ガラス板５の上縁に取り付けられた横枠部材６１及び端部用横枠部材６４の足部６１３、６４３は、前記横フレーム３の下足部受部３３２又は前記足部受溝８１のガラス板５と反対側を向く面に当接している。また、ガラス板５の下縁に取り付けられた横枠部材６１及び端部用横枠部材６４の足部６１３、６４３は、前記横フレーム３の上足部受部３３１のガラス板５と反対側を向く面に当接しているか又は前記巾木７に設けた足部受け７１に収納されている。すなわち、前記横枠部材６１と前記横フレーム３との間、前記端部用横枠部材６４と上フレーム材８との間、及び前記端部用横枠部材６４と前記足部受け７１との間に、互いに当接してガラス板５の間仕切構造体Ｍから離間する方向への移動を規制する移動規制部を形成している。そして、ガラス板５の上縁に取り付けられた横枠部材６１又は端部用横枠部材６４の足部の上端と前記横フレーム３の足部受部３３又は前記足部受溝８１の上端との間に空間が存在するとともに、前記上足部受部３３１及び足部受け７１の上方への突出幅よりも前記下足部受部３３２の下方への突出幅又は前記足部受溝８１の深さを大きくしていて、取付具６を取り付けたガラス板５をけんどん方式により取り付け可能にしている。
【００３０】
前記縦枠部材６２は、アルミ押出し成形により形成されるもので、図８に端面図を示すように、ガラス板５の縁部に当接する透明板受部たるガラス板受部６２１と、ガラス板５の内面側から内側に延びる腕部６２２と、前記腕部６２２からガラス板５の板面に沿ってガラス板受部６２１に平行に延伸し、ガラス板５に向く面、すなわち前記ガラス板受部６２１に向く面である当接面６２３ａを有する当接部６２３とを備えている。
【００３１】
前記ガラス板受部６２１は、本実施形態では両面テープを介してガラス板５の側端面及び内面のみに当接するようにしていて、ガラス板５にこの前記縦枠部材６２を取り付けた状態で全体がガラス板５の外面よりも内方に位置づけられるように構成している。
【００３２】
しかして本実施形態では、前記係合爪部材６３の一部を前記当接面６２３ａに当接させて前記縦枠部材６２に取り付け、前記係合爪部材６３の係合爪６３１を前記取付爪４２に係合させてガラス板５を間仕切構造体Ｍに取り付けるようにしている。
【００３３】
具体的には、前記係合爪部材６３は、図９の（ａ）に平面図、同図の（ｂ）に正面図、同図の（ｃ）に側面図をそれぞれ示すように、前記縦枠部材６２の前記当接面６２３ａに当接する被当接部６３２と、前記被当接部６３２から内側に延伸して設けられ、前記取付爪４２に係合可能な係合爪６３１とを有する。すなわち、前記被当接部６３２がガラス板５と前記縦枠部材６２との間に位置する。
【００３４】
一方、前記縦枠部材６２には、前記図８に示すように、前記当接部６２３のガラス板５側、すなわちガラス板受部６２１側に隣接する位置に、前記被当接部６３２の先端部を挿入可能な凹部６２ａを設けている。また、前記被当接部６３２には雌ねじ孔６３２ａを備えているとともに、前記当接部６２３には、前記図２に示すように、ねじ挿通孔６２３ｘを設けている。そして、これらねじ挿通孔６２３ｘと雌ねじ孔６３２ａとを重合させた状態で、前記ねじ挿通孔６２３ｘに雄ねじ部材Ｂ１を挿通させ、前記雌ねじ孔６３２ａに該雄ねじ部材Ｂ１を螺着することにより、前記係合爪部材６３の被当接部６３２を前記縦枠部材６２の当接面６２３ａに当接させてこの係合爪部材６３を前記縦枠部材６２に取り付けるようにしている。なお、前記ねじ挿通孔６２３ｘは、先端部を前記凹部６２ａに挿入した状態において前記雌ねじ孔６３２ａと重合する位置に設けている。また、前記図３、図５においては、前記縦枠部材６２を破断して示しているとともに、前記当接部６２３を想像線により示している。さらに、前記図4においては、前記縦枠部材６２を省略して示しているとともに、前記当接部６２３を想像線により示している。
【００３５】
本実施形態では、このようなガラス板５を、以下に述べるようにして前記間仕切構造体Ｍに取り付けるようにしている。
【００３６】
まず、横枠部材６１及び縦枠部材６２を、ガラス板５に取り付ける。次いで、ガラス板５の上端縁部を横フレーム３内に挿入し、横枠部材６１の足部６１３を横フレーム３又は上フレーム８の足部受部３３、８ａに当接させる。そして、前記係合爪部材６３の係合爪６３１と前記間仕切構造体Ｍ側の取付爪４２とを係合させるとともにガラス板５の下端縁部を横フレーム３内に挿入して足部を横フレーム３の足部受部３３又は巾木の足部受部７ａに当接させ、このガラス板５を落とし込む。すなわち、このガラス５板をけんどん方式により取り付けるようにしている。
【００３７】
このようにして取り付けられたガラス板５に、雄ねじ部材Ｂ１と雌ねじ孔６３２ａとの間の緊締状態が緩む等の原因により前記間仕切構造体Ｍから離間する方向への作用が加えられると、前記縦枠部材６２の当接面６２３ａを介して前記係合爪部材６３の被当接部６３２にも前記間仕切構造体Ｍから離間する方向への作用が加えられる。しかし、前記係合爪部材６３の係合爪６３１は前記間仕切構造体Ｍ側の取付爪４２と係合しているので、この係合部分により該係合爪部材６３が前記間仕切構造体Ｍから離間することが阻止される。そして、該係合爪部材６３の被当接部６３２に前記縦枠部材６２の当接面６２３ａが当接することにより、該縦枠部材６２の前記間仕切構造体Ｍから離間する側への移動が規制される。
【００３８】
すなわち、このように構成すれば、前記係合爪部材６３の係合爪が前記間仕切構造体Ｍ側の取付爪４２と係合している状態で、前記被当接部６３２は、該係合爪部材６３の一部である被当接部６３２が前記縦枠部材６２の当接面６２３ａに当接することにより、前記縦枠部材６２の前記間仕切構造体Ｍから離間する方向への移動を規制する機能を発揮する。従って、取付具６を取り付けたガラス板５の位置がずれてしまう不具合の発生を防ぐことができる。
【００３９】
また、前記縦枠部材６２に、ガラス板５の縁部に当接するガラス板受部６２１と、ガラス板５の内面側から内側に延びる腕部６２２と、前記腕部６２２からガラス板５の板面に沿ってガラス板受部６２１に平行に延伸しガラス板受部６２１側に向く当接面６２３ａを有する当接部６２３とを設けているとともに、前記係合爪部材６３に、前記縦枠部材６２の前記当接面６２３ａに当接する被当接部６３２と、前記被当接部６３２から内側に延伸して設けている係合爪６３１とを設けているので、当接面６２３ａに前記係合爪部材６３の一部を位置させる構成を容易に実現できる。
【００４０】
さらに、前記縦枠部材６２の当接部６２３と、前記係合爪部材６３の被当接部６３２とを、前記被当接部６３２の雌ねじ孔６３２ａに雄ねじ部材Ｂ１を螺着して接続しているので、前記縦枠部材６２を前記取付爪部材６３に簡単かつ確実に固定することができる。
【００４１】
加えて、前記縦枠部材６２の腕部６２２のガラス板受部６２１側に、前記係合爪部材６３の被当接部６３２を挿入可能な凹部６２ａを設けているので、この構成からも前記縦枠部材６２を前記取付爪部材６３に確実に固定できる効果が得られるとともに、前記係合爪部材６３の位置決めを行うこともできる。
【００４２】
そして、取付具６をガラス板５に取り付けた状態で、ガラス板５を間仕切構造体Ｍにけんどん方式により取付可能にしているので、ガラス板５を間仕切構造体Ｍに容易に取り付けることが可能である。
【００４３】
加えて、前記縦枠部材６２が、ガラス板５の側面と内面のみに当接しているとともに、その全体がガラス板５の外面よりも内方に位置するので、前記縦枠部材６２がガラス板５の外面を被覆しないようにでき、従って幅方向に隣接するガラス板５間に形成される目地を目立たなくすることができる。
【００４４】
なお、本発明は以上に述べた実施の形態に限られない。
【００４５】
例えば、ガラス板でなく、例えばアクリル板等のその他の透明ないし半透明な板材を取り付ける際にこのような取付構造を採用するようにしてもよい。加えて、パネル要素として不透明な板材を取り付ける際にこのような取付構造を採用するようにしてもよい。
【００４６】
また、縦枠部材に係合爪部材を取り付ける際には、ねじ止めだけでなく、リベット等を用いるようにしてもよい。また、縦枠部材の構成は、透明板に対向する側を向き係合爪部材に当接する当接面を有するものであれば、上述した実施形態以外のものであっても透明板が取付具ごと間仕切構造体から外れてしまう不具合の発生を防ぐ効果を得ることができる。
【００４７】
さらに、間仕切だけでなく、例えばショーケースやデスクトップパネルに板状をなすパネル要素を取り付ける際にこのようなパネル要素の取付構造を採用してもよい。
【００４８】
その他、本発明の趣旨を損ねない範囲で種々に変形してよい。
【図面の簡単な説明】
【００４９】
【図１】本発明の一実施形態に係る間仕切を示す全体斜視図。
【図２】同実施形態に係る間仕切を示す部分斜視図。
【図３】図１におけるａ−ａ断面の高さ方向中央部を示す図。
【図４】図１におけるａ−ａ断面の上端部を示す図。
【図５】図１におけるａ−ａ断面の下端部を示す図。
【図６】図１におけるｂ−ｂ断面の要部を示す図。
【図７】同実施形態に係る間仕切に用いられる取付爪部材を示す図。
【図８】同実施形態に係る間仕切に用いられる縦枠部材を示す図。
【図９】同実施形態に係る間仕切に用いられる係合爪部材を示す図。
【符号の説明】
【００５０】
Ｍ…間仕切構造体
２…支柱
４２…取付爪
５…ガラス板（パネル要素）
６…取付具
６２…縦枠部材
６２１…ガラス板受け部（パネル要素受け部）
６２２…腕部
６２３…当接部
６２３ａ…当接面
６２ａ…凹部
６３…係合爪部材
６３１…係合爪
６３２…被当接部
【図１】
2006077543.tif 000003
【図２】
2006077543.tif 000004
【図３】
2006077543.tif 000005
【図４】
2006077543.tif 000006
【図５】
2006077543.tif 000007
【図６】
2006077543.tif 000008
【図７】
2006077543.tif 000009
【図８】
2006077543.tif 000010
【図９】
2006077543.tif 000011